(57)【特許請求の範囲】
【請求項１】
排尿を受けるボウル面を有するボウル部と該ボウル部の底部に設けられる排水口と該排水口に接続されて排水路を形成する排水管路部とを有し、該排水管路部と連通する掃除口が、前記ボウル部に形成されている小便器であって、
前記掃除口を閉塞する蓋が、前記ボウル面に当接するシール部材と、該シール部材に当接するフランジ部を有する表蓋と、前記掃除口に挿入自在であると共に前記ボウル部のボウル面の裏面と対向する裏蓋と、該裏蓋と前記表蓋とを締結する締結部材とを備え、
前記表蓋と前記裏蓋とが前記締結部材により締結された状態で、前記裏蓋が前記ボウル部のボウル面の裏面と当接し、
前記裏蓋が、前記掃除口方向に突出すると共に前記表蓋の被挿入部に挿入される挿入部と、前記挿入部の前記表蓋の被挿入部への挿入姿勢を規制する位置決め部とを備えていることを特徴とする小便器。
【請求項２】
前記裏蓋が、前記締結部材に対して偏心していると共に前記ボウル部のボウル面の裏面と当接する当接部を備えていることを特徴とする請求項１に記載の小便器。
【請求項３】
前記表蓋のフランジ部が、前記ボウル面に向けて突出した傾斜抑制突起を前記裏蓋の当接部側に備えていることを特徴とする請求項２に記載の小便器。
【請求項４】
前記表蓋のフランジ部が、使用者に押圧される位置を示す目印を前記裏蓋の当接部側と反対側に備えていることを特徴とする請求項２または請求項３に記載の小便器。
【請求項５】
前記表蓋のフランジ部が、前記ボウル面に向けて突出した押圧規制突起を前記裏蓋の当接部側と反対側に備えていることを特徴とする請求項２乃至請求項４のいずれか１項に記載の小便器。
【請求項６】
前記表蓋が、前記掃除口に挿入される掃除口挿入部を有し、
前記シール部材が、前記掃除口に向けて突出していると共に弾性体である突出部を有しており、
該突出部が、前記掃除口と前記表蓋の掃除口挿入部との間に設けられていることを特徴とする請求項１乃至請求項５のいずれか１項に記載の小便器。
【請求項７】
前記シール部材が、前記突出部近傍に開口を有していることを特徴とする請求項６に記載の小便器。
【発明の詳細な説明】
【技術分野】
【０００１】
本発明は、排尿を受けるボウル面を有するボウル部と該ボウル部の底部に設けられる排水口と該排水口に接続されて排水路を形成する排水管路部とを有し、該排水管路部と連通する掃除口が、前記ボウル部に形成されている小便器に関する。
【背景技術】
【０００２】
通常、排尿を受けて排出する小便器には、洗浄水を供給してボウル面を洗浄する吐水部が設けられており、小便器を使用する時や、排水配管の詰まりを抑制する時に、吐水部からボウル面に洗浄水を供給してボウル面を洗浄している。
【０００３】
小便器のボウル面を洗浄した洗浄水は、ボウル面の下方に設けられた排水口から流出し、排水口の下流側に設けられた排水トラップの溜水部を経て、これより下流側の接続管路を流れた後、小便器の外部の排水管路へと流れ込み、外部に排出される。
【０００４】
したがって、小便器からの洗浄水の排水経路の構成上、排水配管内の残尿が排水配管内に存在する微生物等によって尿石に変化することもあり、特に従来は排水トラップ、接続管路、又は接続管路の下流側端部と小便器の外部の排水管路との接続部等に尿石が付着・堆積し易くなっている。
そして、公共現場においては、この排水配管の尿石による閉塞の防ぐために、定期的に排水配管内の内面に付着した尿石を研削除去している。
【０００５】
そこで従来、この尿石を除去するために、排水トラップの流出部の上方に位置するボウル部の後方底面に清掃用具を挿入可能な開口（掃除口）を形成し、この開口に短筒上のソケットを固着し、このソケットに閉塞具を着脱可能に取り付けた小便器がある（例えば、特許文献１参照。）。
【０００６】
特許文献１に記載された小便器において、小便器の開口を閉塞する閉塞具は、ソケットに嵌着するための短筒部を有しており、さらに短筒部の周囲にはソケットとの間で水密性を図るためにゴムリングが取付けられている。
【先行技術文献】
【特許文献】
【０００７】
【特許文献１】実開平６−６０６８４号公報
【発明の概要】
【発明が解決しようとする課題】
【０００８】
しかしながら、排水配管内を清掃するための掃除用具はセラミックや金属によるヤスリ状のものを回転させて研削するようなものであるため、その出し入れに際して陶器製の開口壁面に対してチッピングと称される微小な欠けが生じやすく、これにより、開口が破損し十分な水密性を保てない恐れがある。
【０００９】
そこで、本発明は、前述した従来技術の問題を解決するものであって、すなわち、本発明の目的は、掃除口を介して排水管路部内の臭気がボウル部に溢れ出ることを抑制し、掃除口が傷つけられたとしてもシール性能の低下を抑制することができる小便器を提供することである。
【課題を解決するための手段】
【００１０】
本請求項１に係る発明は、排尿を受けるボウル面を有するボウル部と該ボウル部の底部に設けられる排水口と該排水口に接続されて排水路を形成する排水管路部とを有し、該排水管路部と連通する掃除口が、前記ボウル部に形成されている小便器であって、前記掃除口を閉塞する蓋が、前記ボウル面に当接するシール部材と、該シール部材に当接するフランジ部を有する表蓋と、前記掃除口に挿入自在であると共に前記ボウル部のボウル面の裏面と対向する裏蓋と、該裏蓋と前記表蓋とを締結する締結部材とを備え、前記表蓋と前記裏蓋とが前記締結部材により締結された状態で、前記裏蓋が前記ボウル部のボウル面の裏面と当接し、前記裏蓋が、前記掃除口方向に突出すると共に前記表蓋の被挿入部に挿入される挿入部と、前記挿入部の前記表蓋の被挿入部への挿入姿勢を規制する位置決め部とを備えていることにより、前述した課題を解決するものである。
【００１１】
本請求項１に係る発明の小便器によれば、排水管路部と連通する掃除口が、ボウル部に形成されていることにより、ボウル面より排水管路部内に掃除用具を挿入可能となるため、小便器を取り外すことなく排水管路部の下流側の排水路を簡便に掃除することができる。
さらに、表蓋と裏蓋とが締結部材により締結された状態で、裏蓋がボウル部のボウル面の裏面と当接していることにより、表蓋のフランジ部がシール部材を圧縮するため、掃除口を介して排水管路部内の臭気がボウル部に溢れ出ることを抑制することができる。
また、蓋が、ボウル面に当接するシール部材を有していることにより、掃除口の半径方向ではなく厚み方向で掃除口が密封されるため、例えばボウル面より排水管路部内に掃除用具を挿入した際に掃除口の端部が欠けて掃除口の真円度が損なわれたとしても蓋の密封性能の低下を抑制することができる。
また、裏蓋が、裏蓋の挿入部の表蓋の被挿入部への挿入姿勢を規制する位置決め部を備えていることにより、締結部材による表蓋と裏蓋との締結時に、裏蓋が使用者の意図しない方向へ動くことを規制するため、簡便に表蓋と裏蓋とを締結して掃除口を密封することができる。
【００１２】
本請求項２に係る発明は、請求項１に記載された小便器の構成に加えて、前記裏蓋が、前記締結部材に対して偏心していると共に前記ボウル部のボウル面の裏面と当接する当接部を備えていることにより、前述した課題を解決するものである。
【００１３】
本請求項２に係る発明の小便器によれば、請求項１に係る発明が奏する効果に加えて、当接部が締結部材に対して偏心していることにより、裏蓋を掃除口へ挿入した後に裏蓋をボウル部のボウル面の裏面に対して移動させて、裏蓋の当接部をボウル部のボウル面の裏面と当接させるため、裏蓋の当接部とボウル部のボウル面の裏面との接触面積が増し、より強固に表蓋と裏蓋とを締結でき、シール部材による掃除口のシール性能を増すことができる。
【００１４】
本請求項３に係る発明は、請求項２に記載された小便器の構成に加えて、前記表蓋のフランジ部が、前記ボウル面に向けて突出した傾斜抑制突起を前記裏蓋の当接部側に備えていることにより、前述した課題を解決するものである。
【００１５】
本請求項３に係る発明の小便器によれば、請求項２に係る発明が奏する効果に加えて、表蓋のフランジ部が、ボウル面に向けて突出した傾斜抑制突起を備えていることにより、締結部材により表蓋と裏蓋とを強く締結すると、裏蓋の締結部材との偏心に起因して、フランジ部がボウル面に対して傾いてしまうが、その際に裏蓋の当接部側にある傾斜抑制突起がまずボウル面と当接するため、フランジ部のボウル面に対する傾きが抑制され、表蓋と裏蓋との締結によるフランジ部のシール部材への面圧が周方向に偏らず、より蓋の密封性能を向上させることができる。
【００１６】
本請求項４に係る発明は、請求項２または請求項３に記載された小便器の構成に加えて、前記表蓋のフランジ部が、使用者に押圧される位置を示す目印を前記裏蓋の当接部側と反対側に備えていることにより、前述した課題を解決するものである。
【００１７】
本請求項４に係る発明の小便器によれば、請求項２または請求項３に係る発明が奏する効果に加えて、表蓋のフランジ部が、使用者に押圧される位置を示す目印を裏蓋の当接部側と反対側に備えていることにより、表蓋と裏蓋とを締結させる際に使用者が目印を押圧して表蓋のボウル面に対する回動を規制するため、より簡便に表蓋と裏蓋とを締結することができる。
【００１８】
本請求項５に係る発明は、請求項２乃至請求項４に記載された小便器の構成に加えて、前記表蓋のフランジ部が、前記ボウル面に向けて突出した押圧規制突起を前記裏蓋の当接部側と反対側に備えていることにより、前述した課題を解決するものである。
【００１９】
本請求項５に係る発明の小便器によれば、請求項２乃至請求項４に係る発明が奏する効果に加えて、表蓋のフランジ部が、ボウル面に向けて突出した押圧規制突起を裏蓋の当接部側と反対側に備えていることにより、表蓋と裏蓋とを締結させるために使用者が裏蓋の当接部側と反対側を押圧して表蓋のボウル面に対する回動を規制した時に、押圧規制突起がボウル面に当接するため、表蓋のボウル面への押し込みによるフランジ部のボウル面に対する傾きが抑制され、表蓋と裏蓋との締結によるフランジ部のシール部材への面圧が周方向に偏らず、より蓋の密封性能を向上させることができる。
【００２０】
本請求項６に係る発明は、請求項１乃至請求項５に記載された小便器の構成に加えて、前記表蓋が、前記掃除口に挿入される掃除口挿入部を有し、前記シール部材が、前記掃除口に向けて突出していると共に弾性体である突出部を有しており、該突出部が、前記掃除口と前記表蓋の掃除口挿入部との間に設けられていることにより、前述した課題を解決するものである。
【００２１】
本請求項６に係る発明の小便器によれば、請求項１乃至請求項５に係る発明が奏する効果に加えて、シール部材の突出部が、掃除口と表蓋の掃除口挿入部との間に設けられていることにより、真円度の悪い掃除口であっても掃除口と掃除口挿入部との距離を狭められるため、掃除口の真円度によらずに確実に掃除口を密封することができる。
【００２２】
本請求項７に係る発明は、請求項６に記載された小便器の構成に加えて、前記シール部材が、前記突出部近傍に開口を有していることにより、前述した課題を解決するものである。
【００２３】
本請求項７に係る発明の小便器によれば、請求項６に係る発明が奏する効果に加えて、シール部材が、突出部近傍に開口を有していることにより、掃除口と裏蓋が当接して突出部が変形した際にシール部材の全体の変形が抑制されるため、より確実に掃除口を密封して、掃除口を介して排水管路部内の臭気がボウル部に溢れ出ることを抑制することができる。
【発明の効果】
【００２４】
本発明により、小便器を取り外すことなく、排水管路部の下流側の排水路を簡便に掃除することができると共に、掃除口を介して排水管路部内の臭気がボウル部に溢れ出ることを抑制し、掃除口が傷つけられたとしてもシール性能の低下を抑制することができることができる。
【図面の簡単な説明】
【００２５】
【図１】本発明の実施形態の小便器の外観正面図。
【図２】図１のＡ−Ａ断面図。
【図３】蓋の斜視分解図。
【図４】蓋を掃除口に組み付けた状態の断面図。
【図５】シール部材の正面図。
【図６】シール部材の要部断面図（図５のＢ−Ｂ断面図）。
【図７】表蓋の正面斜視図。
【図８】表蓋の変形例を有する蓋を掃除口に組み付けた状態の断面図。
【図９】裏蓋の正面図。
【図１０】ネジの正面斜視図。
【図１１】蓋を掃除口に組み付ける手順を示す図。
【図１２】裏蓋の当接部が締結部材に対して偏心していることの有用性を示す図。
【発明を実施するための形態】
【００２６】
以下に、本発明の実施形態である小便器１００について、図１乃至図１２に基づいて説明する。
【００２７】
＜１．小便器の概要＞
図１は、本発明の実施形態の小便器１００の外観正面図であり、小便器１００は図示されない壁に備え付けられている。
【００２８】
小便器１００は、下方に排尿を受けるボウル面１１１を有するボウル部１１０を小便器１００の下方に、ボウル面１１１を洗浄する洗浄水を吐出する吐水装置１２０を小便器１００の上方に、それぞれ有している。
なお、吐水装置１２０は使用者と正対している。
【００２９】
図２は、図１のＡ−Ａ断面図である。
さらに小便器１００は、ボウル部１１０の底部に設けられると共にボウル面１１１に向かって排泄された排尿を排出する排水口１１２を覆う目皿１３０を有している。
また、吐水装置１２０の背面側には、洗浄水を吐水装置１２０に供給する給水管１２１が接続されている。
【００３０】
そして、小便器１００は、排水口１１２に接続されて排水路を形成する排水管路部１４０を有している。
排水管路部１４０は、排水口１１２に接続されている下降管路１４１と、下降管路１４１に接続されると共に上方に伸びる上昇管路１４２と、上昇管路１４２に接続されると共に水平方向に流路を曲げる屈曲管路１４３とから構成される。
【００３１】
そして、屈曲管路１４３は、図示されない壁から水平方向に延びる排水配管１５０と接続しており、ボウル面１１１に向かって排泄された排尿は、排水口１１２から排水管路部１４０、排水配管１５０を通って、下水へと流される。
【００３２】
さらに、ボウル部１１０は、ボウル面１１１において、排水口１１２より上方に排水管路部１４０の屈曲管路１４３と連通する掃除口１１３を形成している。
これにより、セラミックや金属によるヤスリ状の掃除用具を掃除口１１３に挿入して、排水口１１２からは掃除しにくい上昇管路１４２や屈曲管路１４３や排水配管１５０内の尿石を除去することが可能となる。
【００３３】
また、小便器１００は、掃除口１１３を閉塞する蓋１６０を備えており、蓋１６０も目皿１３０によって覆い隠されている。
【００３４】
＜２．蓋の詳細構造＞
続いて、蓋１６０の詳細な構造について、図３乃至図１０を用いて説明する。
【００３５】
図３は蓋１６０の斜視分解図であり、図４は蓋１６０を掃除口１１３に組み付けた状態の断面図である。
蓋１６０は、掃除口１１３の周囲でボウル面１１１に当接するシール部材１６１と、このシール部材１６１に当接するフランジ部１６２ａを有する表蓋１６２と、掃除口１１３に挿入自在であると共にボウル部１１０のボウル面１１１の裏面１１４と対向する裏蓋１６３と、この裏蓋１６３と表蓋１６２とを締結するネジ１６４（締結部材）とを備えている。
なお、前述した「掃除口１１３の周囲」とは、掃除口１１３の外径の２倍程度までの領域までを含んでいる。
【００３６】
＜２．１  シール部材の構造＞
続いて、図３乃至図６を用いて、シール部材１６１の詳細な構造について説明する。
図５は、シール部材１６１の正面図である。
【００３７】
シール部材１６１は円環状の概形であり、掃除口１１３をシールするためにゴム等の弾性を有する弾性体で形成されている。
また、シール部材１６１の外径は、シール部材１６１が変形して掃除口１１３にシール部材１６１の一部が落ち込んだとしても、掃除口１１３をシールできる程度の外径である。
【００３８】
そして、シール部材１６１は、蓋１６０が掃除口１１３を閉塞しているときにボウル面１１１と当接して掃除口１１３からの臭気漏れを防ぐボウル面当接部１６１ａと、蓋１６０が掃除口１１３を閉塞しているときに表蓋１６２と当接する円環状の表蓋当接部１６１ｂと、ボウル面当接部１６１ａが設けられた面に突出し掃除口１１３と当接する掃除口当接部１６１ｃ（突出部）と、掃除口当接部１６１ｃのそれぞれの基端部に開口されたスリット１６１ｄ（開口）、表蓋１６２が挿入される表蓋挿入口１６１ｅとから少なくとも形成されている。
【００３９】
ボウル面当接部１６１ａは、円環状に形成されており、ボウル面当接部１６１ａの外径はシール部材１６１の外径より小さく、またボウル面当接部１６１ａの内径は掃除口当接部１６１ｃの最外径Ｒ１より大きい。
また、ボウル面当接部１６１ａの厚みは、掃除口当接部１６１ｃより薄く、蓋１６０が掃除口１１３を閉塞しているときに排水管路部１４０内の臭気をボウル部１１０に溢れ出せないようにできる程度までボウル面当接部１６１ａを潰せる程度の厚さである。
【００４０】
表蓋当接部１６１ｂは図３に示されているようにボウル面当接部１６１ａと反対側の面に形成されている。
そして、表蓋当接部１６１ｂは、円環状に形成されており、表蓋当接部１６１ｂの外径はシール部材１６１の外径より小さく、また表蓋当接部１６１ｂの内径は掃除口当接部１６１ｃの外径より大きい。
なお、図４のように、表蓋当接部１６１ｂは、ボウル面当接部１６１ａの真裏に形成されているが、上述した外径および内径の範囲に収まっておれば、位置が限定されるものではない。
【００４１】
掃除口当接部１６１ｃは、図３に示されているようにボウル面当接部１６１ａと同じ側の面から突出している。
また、掃除口当接部１６１ｃは、シール部材１６１の上下方向の中心よりも上方かつ、左右中央線Ａ―Ａに対して対称に形成されている。
そして、掃除口当接部１６１ｃは、表蓋挿入口１６１ｅよりも外側で、ボウル面当接部１６１ａよりも内側に形成されている。
【００４２】
さらに掃除口当接部１６１ｃの構造について、図５におけるＢ−Ｂ断面図である図６を用いて説明する。
掃除口当接部１６１ｃは、掃除口１１３に向かって先細であり、外周面１６１ｃ’は掃除口１１３と当接する。
そして、掃除口当接部１６１ｃの最外径Ｒ１は、掃除口１１３の許容される外径寸法の上限値とおおよそ等しい。
【００４３】
スリット１６１ｄは掃除口当接部１６１ｃの近傍に、周方向に帯状に形成されており、掃除口当接部１６１ｃと同様にシール部材１６１の上下方向の中心よりも上方にあり、左右中央線Ａ―Ａに対して対称となっている。
【００４４】
さらにスリット１６１ｄの構造について、図６を用いて説明する。
スリット１６１ｄは、シール部材１６１を厚み方向に貫通しており、掃除口当接部１６１ｃの上方とシール部材１６１とを隔離している。
【００４５】
表蓋挿入口１６１ｅは、シール部材１６１のほぼ中央に形成されており、後述する表蓋１６２のシール部材挿入部１６２ｂが嵌挿され、表蓋１６２のシール部材挿入部１６２ｂと共にシール部材１６１の回転を規制している。
【００４６】
＜２．２  表蓋の構造＞
続いて、図３、図４、表蓋１６２の正面斜視図である図７および図８を用いて、表蓋１６２の詳細な構造について説明する。
【００４７】
表蓋１６２は、ガラス繊維で強化されたポリプロピレン樹脂で形成されており、円環状の概形である。
そして、表蓋１６２は、フランジ部１６２ａのシール部材１６１と当接する側に表蓋挿入口１６１ｅ及び掃除口１１３に挿入するシール部材挿入部１６２ｂ（掃除口挿入部）と、後述する裏蓋１６３が挿入される円形の裏蓋挿入口１６２ｃ（被挿入部）と、フランジ部１６２ａからシール部材１６１側に突出し表蓋１６２の外郭を形成する外周壁１６２ｄと、裏蓋挿入口１６２ｃより上方にあると共に蓋１６０が掃除口１１３を閉塞しているときにボウル面１１１と当接する押圧規制突起１６２ｅと、裏蓋挿入口１６２ｃより下方にあると共に蓋１６０が掃除口１１３を閉塞しているときにボウル面１１１と当接する傾斜抑制突起１６２ｆと、使用者が表蓋１６２を押すための目印１６２ｇと、後述する位置決め部１６３ｃと係合する係合突起１６２ｈとから形成されている。
【００４８】
フランジ部１６２ａは、ほぼ円形であり、シール部材１６１よりも外径が大きい。
【００４９】
シール部材挿入部１６２ｂは、シール部材１６１の表蓋挿入口１６１ｅへの挿入の際に挿入姿勢を決める位置決め突起を３つ有している。
【００５０】
押圧規制突起１６２ｅは、蓋１６０を掃除口１１３に組み付けた状態において、上方に位置しており、ボウル面１１１と当接している。
【００５１】
傾斜抑制突起１６２ｆは、蓋１６０を掃除口１１３に組み付けた状態において、下方に位置しており、ボウル面１１１と当接している。
また、傾斜抑制突起１６２ｆの突出量（厚み方向の長さ）は、押圧規制突起１６２ｅと同じである。
【００５２】
目印１６２ｇは、蓋１６０を掃除口１１３に組み付けた状態において、上方に位置しており、フランジ部１６２ａの外側に設けられている。
なお、図８は表蓋１６２の変形例を有する蓋１６０を掃除口１１３に組み付けた状態の断面図であるが、図８に示すように目印１６２ｇは例えば単なる凹部であってもよい。
【００５３】
係合突起１６２ｈは、裏蓋挿入口１６２ｃ内の中心方向に設けられた凸状の突起である。
【００５４】
＜２．３  裏蓋の構造＞
続いて、図３および、裏蓋１６３の正面図である図９を用いて、裏蓋１６２の詳細な構造について説明する。
【００５５】
裏蓋１６３は、ガラス繊維で強化されたポリプロピレン樹脂で形成されている。
裏蓋１６３は、掃除口１１３方向に突出すると共に表蓋１６２の裏蓋挿入口１６２ｃに挿入される挿入部１６３ａと、裏面１１４と当接する当接部１６３ｂと、挿入部１６３ａの裏蓋挿入口１６２ｃへの挿入姿勢を規制する位置決め部１６３ｃとを備えている。
【００５６】
挿入部１６３ａは、円筒形であり、内側は雌ネジとなっており、後述するネジ１６４と螺合する。
【００５７】
当接部１６３ｂは、挿入部１６３ａの端部に設けられ、円盤状をしている。
そして、その外径Ｒ２は掃除口１１３の許容される外径寸法の下限値とおおよそ等しい。
また、挿入部１６３ａの中心Ｏ１と当接部の中心Ｏ２とは、中心が一致せず偏心している。
【００５８】
位置決め部１６３ｃは、挿入部１６３ａの外周に設けられた溝であり、蓋１６０を掃除口１１３に組み付けた状態において、係合突起１６２ｇと係合している。
【００５９】
＜２．４  ネジの構造＞
続いて、図３、図４および、ネジ１６４の正面斜視図である図１０を用いて、ネジ１６４の詳細な構造について説明する。
【００６０】
ネジ１６４は、雄ネジであるネジ部１６４ａと、ネジ１６４の周面をシールするＯリング１７０を取り付けるためのＯリング取付溝１６４ｂと、ネジ１６４を回すための治具を嵌める治具取付穴１６４ｃとを有している。
【００６１】
そして、挿入部１６３ａの中心Ｏ１とネジ１６４の中心は一致する。
すなわち、ネジ１６４と当接部１６３ｂの中心Ｏ２とは、中心が一致せず偏心している。
【００６２】
＜３．蓋の掃除口への取り付け方法および本実施形態の作用効果＞
続いて、蓋１６０を掃除口１１３に組み付ける手順を示す図１１を用いて蓋１６０の掃除口１１３への取り付け方法を説明する。
【００６３】
図１１（ａ）に示すように、蓋１６０を予め組みつけておく。
この際、ネジ１６４と裏蓋１６３とが別体にならない程度にネジ１６４と裏蓋１６３とを締結しておく。
そして、この状態で、蓋１６０を掃除口１１３に挿入する。
【００６４】
なお、前述したように裏蓋１６３の当接部１６３ｂの外径Ｒ２は掃除口１１３の許容される外径寸法の下限値とおおよそ等しいため、寸法誤差の大きい陶器で作られている掃除口１１３の寸法誤差によらず、確実に掃除口１１３に蓋１６０を挿入できる。
【００６５】
次に図１１（ｂ）に示すように、シール部材１６１の掃除口当接部１６１ｃを掃除口１１３に挿入できるまで蓋１６０を下方にずらした後、傾斜抑制突起１６２ｆおよび押圧規制突起１６２ｅがボウル面１１１と当接するまで蓋１６０を押し込む。
【００６６】
ここで、裏蓋１６３の当接部１６３ｂがネジ１６４に対して偏心していることにより、裏蓋１６３を掃除口１１３へ挿入した後に裏蓋１６３をボウル部のボウル面１１１の裏面１１４に対して移動させて、裏蓋１６３の当接部１６３ｂをボウル部１１０のボウル面１１１の裏面１１４と当接させるため、裏蓋１６３の当接部１６３ｂとボウル部１１０のボウル面１１１の裏面１１４との接触面積が増し、より強固に表蓋１６２と裏蓋１６３とを締結でき、シール部材１６１による掃除口１１３のシール性能を増すことができる。
【００６７】
なお、前述したように掃除口当接部１６１ｃの最外径Ｒ１は、掃除口１１３の許容される外径寸法の上限値とおおよそ等しくため、寸法誤差の大きい陶器で作られている掃除口１１３の寸法誤差によらず、掃除口当接部１６１ｃが掃除口１１３と確実に当接し、蓋１６０の掃除口１１３に対するガタツキを抑制できる。
【００６８】
次に図１１（ｃ）に示すように、目印１６２ｇを押圧しつつ、ネジ１６４と裏蓋１６３とを締結する。
【００６９】
この際、表蓋１６２のフランジ部１６２ａが、使用者に押圧される位置を示す目印１６２ｇを裏蓋１６３の当接部１６３ｂ側と反対側に備えていることにより、表蓋１６２と裏蓋１６３とを締結させる際に使用者が目印１６２ｇを押圧して表蓋１６２のボウル面１１１に対する回動を規制するため、より簡便に表蓋１６２と裏蓋１６３とを締結することができる。
【００７０】
ネジ１６４と裏蓋１６３との締結は、シール部材１６１が十分に潰されてボウル面１１１をシールできる程度まで行う。
【００７１】
よって、表蓋１６２と裏蓋１６３とがネジ１６４により締結された状態で、裏蓋１６３がボウル部１１０のボウル面１１１の裏面１１４と当接する。
これにより、表蓋１６２のフランジ部１６２ａがシール部材１６１を圧縮するため、掃除口１１３を介して排水管路部１４０内の臭気がボウル部１１０に溢れ出ることを抑制することができる。
【００７２】
また、蓋１６０が、ボウル面１１１に当接するシール部材１６１を有していることにより、掃除口１１３の半径方向ではなく厚み方向で掃除口１１３が密封される。
これにより、ボウル面１１１より排水管路部１４０内に掃除用具を挿入した際に掃除口１１３の端部が欠けて掃除口１１３の真円度が損なわれたとしても蓋１６０の密封性能を維持することができる。
【００７３】
また、表蓋１６２のフランジ部１６２ａが、ボウル面１１１に向けて突出した傾斜抑制突起１６２ｆを備えていることにより、ネジ１６４により表蓋１６２と裏蓋１６３とを強く締結すると、裏蓋１６３のネジ１６４との偏心に起因して、フランジ部１６２ａがボウル面１１１に対して傾いてしまうが、その際に裏蓋１６３の当接部１６３ｂ側にある傾斜抑制突起１６２ｆがまずボウル面１１１と当接する。
これにより、フランジ部１６２ａのボウル面１１１に対する傾きが抑制され、表蓋１６２と裏蓋１６３との締結によるフランジ部１６２ａのシール部材１６１への面圧が周方向に偏らず、より蓋１６０の密封性能を向上させることができる。
【００７４】
さらに、表蓋１６２のフランジ部１６２ａが、ボウル面１１１に向けて突出した押圧規制突起１６２ｅを裏蓋１６３の当接部１６３ｂ側と反対側に備えていることにより、表蓋１６２と裏蓋１６３とを締結させるために使用者が裏蓋１６３の当接部１６３ｂ側と反対側を押圧して表蓋１６２のボウル面１１１に対しる回動を規制した時に、押圧規制突起１６２ｅがボウル面１１１に当接する。
これにより、表蓋１６２のボウル面１１１への押し込みによるフランジ部１６２ａのボウル面１１１に対する傾きが抑制され、表蓋１６２と裏蓋１６３との締結によるフランジ部１６２ａのシール部材１６１への面圧が周方向に偏らず、より蓋１６０の密封性能を向上させることができる。
【００７５】
以上述べたように蓋１６０を掃除口１１３に組み付けることで、得られた本実施形態の小便器１００は、掃除口１１３を介して排水管路部１４０内の臭気がボウル部１１０に溢れ出ることを抑制し、掃除口１１３を傷つけたとしてもシール性能を維持することができる。
【００７６】
そして、排水管路部１４０と連通する掃除口１１３が、ボウル部１１０に形成されていることにより、ボウル面１１１より排水管路部１４０内に掃除用具を挿入可能となるため、小便器１００を取り外すことなく排水管路部１４０の下流側の排水路を簡便に掃除することができる。
【００７７】
また、裏蓋１６３が、裏蓋１６３の挿入部１６３ａの表蓋１６２の裏蓋挿入口１６２ｃへの挿入姿勢を規制する位置決め部１６３ｃを備えていることにより、ネジ１６４による表蓋１６２と裏蓋１６３との締結時に、裏蓋１６３が使用者の意図しない方向へ動くことを規制するため、簡便に表蓋１６２と裏蓋１６３とを締結して掃除口１１３を密封することができる。
【００７８】
また、シール部材１６１の掃除口当接部１６１ｃが、掃除口１１３と表蓋１６２のシール部材挿入部１６２ｂとの間に設けられていることにより、真円度の悪い掃除口１１３であっても掃除口１１３とシール部材挿入部１６２ｂとの距離を狭められるため、掃除口１１３の真円度によらずに確実に掃除口１１３を密封することができる。
【００７９】
さらに、シール部材１６１が、掃除口当接部１６１ｃ近傍にスリット１６１ｄを有していることにより、掃除口１１３と裏蓋が１６３当接して掃除口当接部１６１ｃが変形した際にシール部材１６１の全体の変形が抑制されるため、より確実に掃除口１１３を密封して、掃除口１１３を介して排水管路部１４０内の臭気がボウル部１１０に溢れ出ることを抑制することができる。
【００８０】
＜４．裏蓋の当接部が締結部材に対して偏心していることの有用性＞
ここで、裏蓋の当接部が締結部材に対して偏心してない蓋を備える小便器２００を用いて本実施形態の有用性を示す。
なお、小便器２００は、本実施形態の小便器１００の裏蓋１６３の当接部が締結部材に対して偏心してないものであり、多くの要素について本実施形態の小便器１００と共通するので、共通する事項については詳しい説明を省略し、下２桁が共通する２００番台の符号を付すのみとする。
【００８１】
図１２は、蓋２６０を掃除口２１３に組み付ける手順を示す図である。
蓋２６０を掃除口２１３に組み付ける手順としては、図１１に示したような本実施形態の組み付け手順と同様である（裏蓋２６３の当接部２６３ｂの外径Ｒ２は本実施形態と同様に掃除口２１３の許容される外径寸法の下限値とおおよそ等しい。）。
【００８２】
しかしながら、目印２６２ｇを押圧しつつ、ネジ２６４と裏蓋２６３とを締結する段階である図１２（ｃ）において、裏蓋２６３の当接部２６３ｂがネジ２６４に対して偏心してないと、裏蓋２６３の当接部２６３ｂと裏面２１４との接触面積が少なくなってしまう（図１２（ｃ）Ｃ部参照。）。
【００８３】
この状態であっても、シール部材２６１によって掃除口２１３をシールできるものの、裏蓋２６３と裏面２１４との接触面積が少なくなってしまうと、うまく掃除口２１３に裏蓋２６３が係止されず、掃除口２１３と裏蓋２６３が当接しない可能性があったり、ネジ２６４と裏蓋２６３とを強く締結すると掃除口２１３が欠けたりする可能性もある。
【００８４】
つまり、裏蓋２６３の当接部２６３ｂがネジ２６４に対して偏心していないと、裏蓋２６３の当接部２６３ｂと裏面２１４との接触面積が少なくなってしまい、強固に表蓋２６２と裏蓋２６３とを締結することが難しい。
【００８５】
このような裏蓋２６３の当接部２６３ｂがネジ２６４に対して偏心してない蓋２６０を備える小便器２００に比べ、本実施形態の小便器１００は裏蓋１６３の当接部１６３ｂがネジ１６４に対して偏心していることにより、裏蓋１６３を掃除口１１３へ挿入した後に裏蓋１６３をボウル部１１０のボウル面１１１の裏面１１４に対して移動させて、裏蓋１６３の当接部１６３ｂをボウル部１１０のボウル面１１１の裏面１１４と当接させるため、裏蓋１６３の当接部１６３ｂとボウル部１１０のボウル面１１１の裏面１１４との接触面積が増し、より強固に表蓋１６２と裏蓋１６３とを締結でき、シール部材１６１による掃除口１１３のシール性能を増すことができる。
【００８６】
＜５．変形例＞
以上、本発明を実施するための形態について説明したが、本発明は上記に限定されるものではない。
すなわち、本発明は、排尿を受けるボウル面を有するボウル部と該ボウル部の底部に設けられる排水口と該排水口に接続されて排水路を形成する排水管路部とを有し、該排水管路部と連通する掃除口が、前記ボウル部に形成されている小便器であって、前記掃除口を閉塞する蓋が、前記ボウル面に当接するシール部材と、該シール部材に当接するフランジ部を有する表蓋と、前記掃除口に挿入自在であると共に前記ボウル部のボウル面の裏面と対向する裏蓋と、該裏蓋と前記表蓋とを締結する締結部材とを備え、前記表蓋と前記裏蓋とが前記締結部材により締結された状態で、前記裏蓋が前記ボウル部のボウル面の裏面と当接しているものであり、掃除口を介して排水管路部内の臭気がボウル部に溢れ出ることを抑制し、掃除口が傷つけられたとしてもシール性能の低下を抑制することができることができるものであれば、その具体的な実施態様は如何なるものであっても構わない。
【００８７】
例えば、本実施形態において、掃除口は屈曲管路と連通していたが、上昇管路と連通するものであってもよい。
【００８８】
また、本実施形態において、表蓋および裏蓋の材質は、ガラス繊維で強化されたポリプロピレン樹脂であったが、強度と耐薬品性を有する材質であれば如何なるものであっても構わない。
【００８９】
また、本実施形態において、裏蓋の当接部の形状は円盤状であったが、ボウル面の裏面と当接できる面積が確保されれば、如何なるものであっても構わない。
【００９０】
また、掃除口当接部やシール部材挿入部、スリットの個数は図に限定されるものではない。
【００９１】
また、アンカーボルトのように、裏蓋を掃除口に挿入した後に膨らませて掃除口から取り出すことができなくなるようにしてもよい。
【００９２】
そして、前述した各実施形態が備える各要素は、技術的に可能である限り組み合わせることができ、これらを組み合わせたものも本発明の特徴を含む限り本発明の範囲に包含される。
【符号の説明】
【００９３】
１００、    ２００  ・・・  小便器
１１０              ・・・  ボウル部
１１１              ・・・  ボウル面
１１２              ・・・  排水口
１１３、    ２１３  ・・・  掃除口
１１４、    ２１４  ・・・  裏面
１２０              ・・・  吐水装置
１２１              ・・・  給水管
１３０              ・・・  目皿
１４０              ・・・  排水管路部
１４１              ・・・  下降管路
１４２              ・・・  上昇管路
１４３              ・・・  屈曲管路
１５０              ・・・  排水配管
１６０、    ２６０  ・・・  蓋
１６１、    ２６１  ・・・  シール部材
１６１ａ            ・・・  ボウル面当接部
１６１ｂ            ・・・  表蓋当接部
１６１ｃ            ・・・  掃除口当接部（突出部）
１６１ｃ’          ・・・  外周面
１６１ｄ            ・・・  スリット（開口）
１６１ｅ            ・・・  表蓋挿入口
１６２、    ２６２  ・・・  表蓋
１６２ａ            ・・・  フランジ部
１６２ｂ            ・・・  シール部材挿入部（掃除口挿入部）
１６２ｃ            ・・・  裏蓋挿入口（被挿入部）
１６２ｄ            ・・・  外周壁
１６２ｅ            ・・・  押圧規制突起
１６２ｆ            ・・・  傾斜抑制突起
１６２ｇ、  ２６２ｇ・・・  目印
１６２ｈ            ・・・  係合突起
１６３、    ２６３  ・・・  裏蓋
１６３ａ            ・・・  挿入部
１６３ｂ、  ２６３ｂ・・・  当接部
１６３ｃ            ・・・  位置決め部
１６４、    ２６４  ・・・  ネジ（締結部材）
１６４ａ            ・・・  雄ネジ部
１６４ｂ            ・・・  Ｏリング取付溝
１６４ｃ            ・・・  治具取付穴
１７０              ・・・  Ｏリング
Ｒ１              ・・・  掃除口当接部の最外径
Ｒ２              ・・・  当接部の外径
Ｏ１              ・・・  挿入部の中心
Ｏ２              ・・・  当接部の中心
【図１】
0006474022.tif 000002
【図２】
0006474022.tif 000003
【図３】
0006474022.tif 000004
【図４】
0006474022.tif 000005
【図５】
0006474022.tif 000006
【図６】
0006474022.tif 000007
【図７】
0006474022.tif 000008
【図８】
0006474022.tif 000009
【図９】
0006474022.tif 000010
【図１０】
0006474022.tif 000011
【図１１】
0006474022.tif 000012
【図１２】
0006474022.tif 000013